(57)【特許請求の範囲】
【請求項１】
戸枠の内側下面に突設された下ガイドレールと内側上面に突設された上ガイドレールに沿ってスライド可能に設けられた柱部材を有する引き戸であって、
前記柱部材の上面に、前記上ガイドレールを差し込むための凹溝がスライド方向に沿って形成され、該凹溝の内部に、該凹溝の溝幅より狭い間隔で前記上ガイドレールの厚み方向両側に位置することで前記柱部材の前記上ガイドレールに沿ったスライドを案内する一対のガイド板が、それぞれ回転自在に軸支され、前記柱部材の上部側面に、前記一対のガイド板と該各ガイド板を回転自在に軸支する支持フレームとを有するガイドユニットを前記柱部材の内部へ挿入するための挿入用開口が形成されるとともに、前記柱部材の内部に、前記ガイドユニットを載置するための載置面が設けられたことを特徴とする引き戸。
【請求項２】
前記挿入用開口の下端縁に、前記載置面より高く突出するようにして、前記ガイドユニットが前記挿入用開口から脱落するのを防止するための脱落防止片が設けられたことを特徴とする請求項１に記載の引き戸。
【発明の詳細な説明】
【技術分野】
【０００１】
本発明は、戸枠の内側下面に突設された下ガイドレールと内側上面に突設された上ガイドレールに沿ってスライド可能に設けられた引き戸に関する。
【背景技術】
【０００２】
横方向にスライドさせることによって開閉する引き戸としては、戸枠の内側面に相対向するようにして突設された上ガイドレールと下ガイドレールに沿ってスライド可能に構成された引き戸が従来公知である。この引き戸の底面には凹部が形成され、この凹部の内部に、下ガイドレールに沿って転動する戸車が回転自在に軸支される（例えば、特許文献１参照）。一方、引き戸の上面には凹溝が形成され、この凹溝を上ガイドレールに嵌合させることにより、引き戸が戸枠に対して脱落不能に取り付けられる。
【０００３】
【特許文献１】特開２００６−２３３６６３号公報
【発明の開示】
【発明が解決しようとする課題】
【０００４】
しかし、上ガイドレールと下ガイドレールに沿ってスライドする従来公知の引き戸では、スライド時に引き戸がガタついて上ガイドレールが凹溝の縁部に摺動すると、両者の間に生じる摩擦力によって引き戸の滑らかなスライドが妨げられ、異音が発生し、或いは上ガイドレールや引き戸が摩耗する、という問題があった。
【０００５】
本発明は、このような問題に鑑みてなされたものであり、戸枠の内側面に突設された上ガイドレールと下ガイドレールに沿ってスライドする引き戸において、スライド時における引き戸のガタツキを低減して上ガイドレールとの摺動を防止することにより、引き戸の滑らかなスライドを確保し、且つ、異音や摩耗の発生を防止する手段を提供する。
【課題を解決するための手段】
【０００６】
上記目的を達成するための請求項１記載の引き戸は、戸枠の内側下面に突設された下ガイドレールと内側上面に突設された上ガイドレールに沿ってスライド可能に設けられた柱部材を有する引き戸であって、前記柱部材の上面に、前記上ガイドレールを差し込むための凹溝がスライド方向に沿って形成され、該凹溝の内部に、該凹溝の溝幅より狭い間隔で前記上ガイドレールの厚み方向両側に位置することで前記柱部材の前記上ガイドレールに沿ったスライドを案内する一対のガイド板が、それぞれ回転自在に軸支され、前記柱部材の上部側面に、前記一対のガイド板と該各ガイド板を回転自在に軸支する支持フレームとを有するガイドユニットを前記柱部材の内部へ挿入するための挿入用開口が形成されるとともに、前記柱部材の内部に、前記ガイドユニットを載置するための載置面が設けられたものである。
【０００８】
請求項２記載の引き戸は、前記挿入用開口の下端縁に、前記載置面より高く突出するようにして、前記ガイドユニットが前記挿入用開口から脱落するのを防止するための脱落防止片が設けられたものである。
【発明の効果】
【０００９】
本発明の請求項１に係る引き戸によれば、凹溝に差し込まれた上ガイドレールの厚み方向両側に、凹溝の溝幅より狭い間隔で一対のガイド板がそれぞれ位置することにより、柱部材のガタツキが低減され、柱部材と上ガイドレールとの摺動が防止される。これにより、引き戸の滑らかなスライドが確保されるとともに、柱部材と上ガイドレールの摺動時に生じる異音や、柱部材や上ガイドレールに生じる摩耗を防止することができる。更に、一対のガイド板自体は上ガイドレールとの接触によって自由に回転可能であるため、ガイド板と上ガイドレールとの間に大きな摩擦力が生じることもない。また、ガイドユニットが、挿入用開口を介して柱部材の上部に着脱可能に設けられているので、ガイドユニットを構成する各部材が損傷等した場合に、ガイドユニットを柱部材から取り外して新しいものに交換することで対応することができる。これにより、柱部材全体を取り外して新しいものに交換する必要がない分、作業の簡略化及びコスト低減を図ることができる。
【００１１】
また、本発明の請求項２に係る引き戸によれば、ガイドユニットは、脱落防止片によって移動が規制されるので、挿入用開口から脱落することがない。
【発明を実施するための最良の形態】
【００１２】
以下、本発明の実施例に係る引き戸について、図面に基づいて説明する。図１と図２は、本実施例に係る引き戸を備えた窓Ｗの構成を示す図であり、図１は屋外側から見た概略正面図、図２は図１におけるＡ−Ａ線断面図である。窓Ｗは、横長ロ字型形状を有する枠体である窓枠（戸枠）１と、この窓枠１の屋外側の位置をスライド可能に設けられた屋外側引き窓２（引き戸）２と、窓枠１の屋内側の位置をスライド可能に設けられた屋内側引き窓３（引き戸）３と、を備えるものである。
【００１３】
窓枠１は、アルミ等からなるものであって、図２に示すように、その屋外側は肉薄に形成されており、内側上面４から下方に向かって上ガイドレール５が、内側下面６から上方に向かって下ガイドレール７が、相対向するようにしてそれぞれ突設されている。一方、窓枠１の屋内側は肉厚に形成されており、内側上面４から下方に向かって上ガイドレール８が、内側下面６から上方に向かって下ガイドレール９が、相対向するようにしてそれぞれ突設されている。ここで、図２に示すように、屋外側の上ガイドレール５の先端は、屋内側の内側上面４より上方に位置するとともに、屋外側の下ガイドレール７の先端は、屋内側の内側下面６より下方に位置している。
【００１４】
屋外側引き窓２は、図１に示すように、左右両端部に立設された一対の柱部材１０と、幅方向中央部で折り畳み可能に設けられたフレーム部材１１と、フレーム部材１１の幅方向両端部を各柱部材１０にそれぞれ固定する取付用蝶番１２と、フレーム部材１１の幅方向中央部に設けられた風雨侵入防止板１３とを備えるものである。
【００１５】
一対の柱部材１０は、屋外側引き窓２を窓枠１に沿ってスライドさせるためのものである。この柱部材１０は、図２に示すように、内部が中空に形成され、その下端部には、下ガイドレール７の上を転動する戸車１４が回転自在に軸支されている。この戸車１４は、断面円形であって、その周面から径方向に突出して、左右一対の脱輪防止片１５がそれぞれ設けられている。この左右の脱輪防止片１５の間の距離は、下ガイドレール７の厚みより若干大きく形成されている。また、柱部材１０の底面には、下ガイドレール７との干渉を回避するための凹溝１６が形成されている。
【００１６】
他方、柱部材１０の上端部には、ガイドユニット１７が着脱可能に設けられている。ここで、図３と図４は、柱部材１０の上端部を拡大した図であり、図３は概略正面図、図４は概略斜視図である。柱部材１０の上端部には、その内側面から水平方向に突出するようにして、ガイドユニット１７を載置するための載置面１８が形成されている。また、図４に示すように、柱部材１０の側面には、ガイドユニット１７を柱部材１０の内部に挿入するための挿入用開口１９が形成されている。この挿入用開口１９は略矩形に形成されているが、その左右の下隅角がそれぞれ載置面１８より高い位置まで突出されることにより、ガイドユニット１７が挿入用開口１９から脱落するのを防止する左右一対の脱落防止片２０が形成されている。また、柱部材１０の上面には、上部ガイドレールを差し込むための凹溝１６がスライド方向に渡って形成されている。
【００１７】
図５は、ガイドユニット１７の構成を示す分解斜視図である。ガイドユニット１７は、柱部材１０の上ガイドレールに沿ったスライドを案内するための左右一対のガイド板２１と、各ガイド板２１の略中心部に回転自在に挿通された支軸２２と、該支軸２２の両端部が挿通固定された支持フレーム２３とを具備するものである。ここで、左右のガイド板２１の間の距離は、上ガイドレール５の厚みより若干大きく、且つ、柱部材１０の上面に形成された凹溝１６の溝幅より小さく設定されている。尚、各ガイド板２１の形状は、本実施例の円盤形状に限られず、適宜設計変更が可能である。
【００１８】
一方、支持フレーム２３は、図５に示すように、上面と下面が開口された中空の箱型部材であって、その高さ寸法は、ガイド板２１の直径より小さく形成されている。また、支持フレーム２３の左右両側面には、相対向するようにして一対の挿通孔２４がそれぞれ形成されており、各挿通孔２４に支軸２２の両端部がそれぞれ挿通固定される。これにより、一対のガイド板２１は、支軸２２を中心として回転自在に支持されている。この時、前述のように、支持フレーム２３の高さ寸法がガイド板２１より小さいので、各ガイド板２１は、その一部が支持フレーム２３より上下に飛び出した状態となる。
【００１９】
図６と図７は、ガイドユニット１７の柱部材１０への取り付けを説明するための図であり、図６は概略斜視図、図７は図３におけるＣ−Ｃ線断面図である。ガイドユニット１７を柱部材１０の上端部に取り付ける際には、図６及び図７（ａ）に示すように、支軸２２を柱部材１０のスライド方向に対して略直交方向に向けるようにして、ガイドユニット１７を挿入用開口１９から柱部材１０の内部へと挿入し、図７（ｂ）に示すように、支持フレーム２３を載置面１８の上に載置する。ここで、挿入用開口１９の下隅角に形成された左右一対の脱落防止片２０により、支持フレーム２３の載置面１８上での移動が規制されるため、ガイドユニット１７は挿入用開口１９から柱部材１０の外部へと脱落することがない。
【００２０】
次に、前記フレーム部材１１は、図１に示すように、左窓ガラスＧＬを保持する左フレーム２５と、右窓ガラスＧＲを保持する右フレーム２６と、左フレーム２５と右フレーム２６の屋内側面に跨って配設されて両者を曲折可能に連結する連結用蝶番２７とを備えるものである。このように構成されるフレーム部材１１は、左フレーム２５の屋内側面と左柱部材１０Ｌの屋内側面に跨って取付用蝶番１２が配設されることによって、その左端部が左柱部材１０Ｌに対して曲折可能に取り付けられるとともに、右フレーム２６の屋内側面と右柱部材１０Ｒの屋内側面に跨って取付用蝶番１２が配設されることによって、その右端部が右柱部材１０Ｒに対して曲折可能に取り付けられる。これにより、フレーム部材１１は、図８に示すように、左右両端部の取付用蝶番１２と中央部の連結用蝶番２７の箇所で曲折することによって、屋外側へ張り出すように折り畳み可能となっている。
【００２１】
また、図１に詳細は示さないが、左フレーム２５と右フレーム２６の連結部付近には、フレーム部材１１を折り畳み不能にロックするためのロック機構が設けられており、屋外側引き窓２を閉じて窓枠１の開口部分を閉止する場合は、ロック機構を作動させてフレーム部材１１を折り畳み不能にロックし、屋外側引き窓２を開いて窓枠１の開口部分を広く確保する場合は、ロック機構を解除してフレーム部材１１を折り畳み可能とするようになっている。
【００２２】
次に、前記風雨侵入防止板１３は、左フレーム２５と右フレーム２６の連結部分を介して、屋外側から屋内側へ風雨が侵入するのを防止するためのものである。より詳細に説明すると、前述のように、左フレーム２５と右フレーム２６が、左柱部材１０Ｌと右柱部材１０Ｒへの取り付け箇所を支点として互いに干渉することなく回動するためには、左フレーム２５と右フレーム２６の連結箇所において両者の間に若干の隙間（不図示）が形成されている必要がある。従って、この隙間を介して屋外側から屋内側へ風雨が侵入するのを防止すべく、図８に示すように、右フレーム２６の屋外側面であって連結用蝶番２７側の端部に、右フレーム２６側へ突出するようにして、右フレーム２６の高さ寸法と略等しい長さの風雨侵入防止板１３が設けられている。これにより、図１に示すように屋外側引き窓２を閉じた状態で、左フレーム２５と右フレーム２６の間の隙間が風雨侵入防止板１３によって覆われるので、屋外側から屋内側へ風雨の侵入が防止される。
【００２３】
以上のように構成される屋外側引き窓２は、図２に示すように、左右一対の柱部材１０の底面に形成された凹溝１６の内部に下ガイドレール７をそれぞれ差し入れて、戸車１４の周面を下ガイドレール７に当接させる一方、各柱部材１０の上面に形成された凹溝１６の内部に上ガイドレール５をそれぞれ差し入れた後、ガイドユニット１７を挿入用開口１９から柱部材１０の内部へと挿入することにより、上ガイドレール５と下ガイドレール７の間に脱落不能に取り付けられる。そして、この時、上ガイドレール５の厚み方向両側には、凹溝１６より幅狭な間隔で左右一対のガイド板２１が位置するため、屋外側引き窓２を横方向にスライドさせる時に、スライド方向に対して略直交する方向へのガタツキが生じにくい。また、一対のガイド板２１は上ガイドレール５と接触してもそれ自体が自由に回転するため、上ガイドレール５との間に大きな摩擦力は生じず、屋外側引き窓２の滑らかなスライドが妨げられることもない。
【００２４】
尚、本実施例では、取付用蝶番１２を屋外側面に連結用蝶番２７を屋内側面にそれぞれ配設することにより、フレーム部材１１を屋外側へ張り出すように折り畳み可能としているが、これとは逆に取付用蝶番１２を屋内側面に連結用蝶番２７を屋外側面にそれぞれ配設することにより、フレーム部材１１を屋内側へ張り出すように折り畳み可能とすることも可能である。また、本実施例ではフレーム部材１１を折り畳み可能に構成しているが、これは本発明に必須の構成要件ではなく、例えば、１枚の板部材からなる折り畳み不能なフレーム部材１１とすることも可能である。
【００２５】
次に、図１に示す屋内側引き窓３は、屋外側引き窓２と比較して高さ寸法が小さい点で異なっているが、それ以外の構成は同じであるため、屋外側引き窓２と同じ符号を付し、その説明を省略する。詳細には、この屋内側引き窓３を構成する左右一対の柱部材１０、フレーム部材１１、及び風雨侵入防止板１３の高さ寸法は、屋外側引き窓２のために窓枠１に突設された上ガイドレール５と下ガイドレール７の間隔よりも小さく設定されている。これにより、図８に示すように、上ガイドレール５と下ガイドレール７の存在にかかわらず、屋内側引き窓３を屋外側へ張り出すようにして折り畳むことができる。
【産業上の利用可能性】
【００２６】
本発明に係る引き戸は、本実施例の引き窓だけでなく、戸として構成することももちろん可能である。
【図面の簡単な説明】
【００２７】
【図１】本実施例に係る引き戸を備えた窓Ｗを屋外側から見た概略正面図。
【図２】図１におけるＡ−Ａ線断面図。
【図３】柱部材１０の上端部を拡大した概略正面図。
【図４】柱部材１０の上端部を拡大した概略斜視図。
【図５】ガイドユニット１７の構成を示す分解斜視図。
【図６】ガイドユニット１７の柱部材１０への取り付けを説明するための概略斜視図。
【図７】ガイドユニット１７の柱部材１０への取り付けを説明するための図であって、図３におけるＣ−Ｃ線断面図。
【図８】屋外側引き窓２と屋内側引き窓３の折り畳みを説明するための図であって、図１におけるＢ−Ｂ線断面図。
【符号の説明】
【００２８】
１  窓枠（戸枠）
２  屋外側引き窓（引き戸）
３  屋内側引き窓（引き戸）
５，８  上ガイドレール
７，９  下ガイドレール
１０  柱部材
１６  凹溝
１７  ガイドユニット
１８  載置面
１９  挿入用開口
２０  脱落防止片
２１  ガイド板
２３  支持フレーム
【図１】
0005071637.tif 000002
【図２】
0005071637.tif 000003
【図３】
0005071637.tif 000004
【図４】
0005071637.tif 000005
【図５】
0005071637.tif 000006
【図６】
0005071637.tif 000007
【図７】
0005071637.tif 000008
【図８】
0005071637.tif 000009